(57)【要約】【課題】駅のプラットホームにいる携帯型電子機器の使用者に対して、情報を適切に報知することができる情報報知システムを提供する。【解決手段】管理装置７は、上り列車の到着のように上りホーム３にいる利用者だけ報知すればよい報知情報が入力されたときは、報知情報を含む送出データを上りホーム３のみに送出する。上りホーム３で使用されている携帯電話機２では、送出データが受信されて報知情報が使用者に報知される。一方、下りホーム５で使用されている携帯電話機２では、送出データは受信されず、報知情報は使用者に報知されない。情報の報知は、緊急情報の場合は受信されると直ちに使用者に対して行い、通常情報の場合は受信されるとメモリ２３に記憶され、使用者の指示に応答して行う。【選択図】      図１
2006240452.tif 000002
【特許請求の範囲】
【請求項１】
情報出力装置と携帯型電子機器とを備えて構成される情報報知システムであって、
前記情報出力装置は、上りホームに情報を送出する上りホーム用情報送信手段と、
下りホームに情報を送出する下りホーム用情報送信手段と、
列車の利用者に直ちに報知すべき緊急情報が入力されると、緊急情報であることを示す種別データと前記緊急情報とを含む送出情報を作成し、作成した送出情報を前記上りホーム用情報送信手段および／または前記下りホーム用情報送信手段に出力する送出情報作成手段とを備え、
前記携帯型電子機器は、前記送出情報を受信する受信手段と、
情報を当該携帯型電子機器の使用者に報知する報知手段と、
前記受信手段によって受信された送出情報に緊急情報であることを示す種別データが含まれているときは、受信された送出情報に含まれている緊急情報を前記使用者に報知するように前記報知手段を制御する制御手段とを備えることを特徴とする情報報知システム。
【請求項２】
請求項１記載の情報報知システムにおいて、
前記送出情報作成手段は、前記緊急情報として、上り列車の到着または通過を示す運行情報が入力されたときは、当該運行情報を含む送出情報を作成して前記上りホーム用情報送信手段に出力し、下り列車の到着または通過を示す運行情報が入力されたときは、当該運行情報を含む送出情報を作成して前記下りホーム用情報送信手段に出力することを特徴とする情報報知システム。
【請求項３】
請求項１または２に記載の情報報知システムにおいて、
前記送出情報作成手段は、列車の利用者に直ちに報知する必要性が低い通常情報が入力されたときは、通常情報であることを示す種別データと前記通常情報とを含む送出情報を作成して、上りホーム用情報送信手段および／または下りホーム用情報送信手段に出力し、
前記携帯型電子機器は、通常情報を記憶するメモリと、通常情報の報知を指示する指示手段とを備え、前記制御手段は、受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴とする情報報知システム。
【請求項４】
情報出力装置と携帯型電子機器とを備えて構成される情報報知システムであって、
前記情報出力装置は、上りホームおよび下りホームに情報を送出する情報送信手段と、
上りホームであることを示すホーム判別データを上りホームに送出する上りホーム用ホーム判別データ送信手段と、
下りホームであることを示すホーム判別データを下りホームに送出する下りホーム用ホーム判別データ送信手段と、
列車の利用者に直ちに報知すべき緊急情報が入力されると、緊急情報であることを示す種別データと緊急情報の報知対象となるホームを示す対象ホームデータと前記緊急情報とを含む送出情報を作成し、作成した送出情報を前記情報送信手段に出力する送出情報作成手段とを備え、
前記携帯型電子機器は、前記送出情報を受信する第１受信手段と、
前記ホーム判別データを受信する第２受信手段と、
情報を当該携帯型電子機器の使用者に報知する報知手段と、
前記第１受信手段によって受信された送出情報に含まれている対象ホームデータと前記第２受信手段によって受信されたホーム判別データとが一致し、受信された送出情報に緊急情報を示す種別データが含まれているときは、受信された送出情報に含まれている緊急情報を前記使用者に報知するように前記報知手段を制御する制御手段とを備えることを特
徴とする情報報知システム。
【請求項５】
請求項４記載の情報報知システムにおいて、
前記送出情報作成手段は、前記緊急情報として、上り列車の到着または通過を示す運行情報が入力されたときは、緊急情報であることを示す種別データと上りホームを示す対象ホームデータと前記運行情報とを含む送出情報を作成し、下り列車の到着または通過を示す運行情報が入力されたときは、緊急情報であることを示す種別データと下りホームを示す対象ホームデータと前記運行情報とを含む送出情報を作成することを特徴とする情報報知システム。
【請求項６】
請求項４または５に記載の情報報知システムにおいて、
前記送出情報作成手段は、列車の利用者に直ちに報知する必要性が低い通常情報が入力されたときは、通常情報であることを示す種別データと上りホームおよび／または下りホームを示す対象ホームデータと前記通常情報とを含む送出情報を作成し、
前記携帯型電子機器は、通常情報を記憶するメモリと、通常情報の報知を指示する指示手段とを備え、前記制御手段は、受信した送出情報に含まれている対象ホームデータと受信したホーム判別データとが一致し、かつ受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴とする情報報知システム。
【請求項７】
請求項１〜６のいずれか１項に記載の情報報知システムにおいて、
前記携帯型電子機器は、通話機能を有するとともに、前記報知手段としての音声信号出力手段を備え、前記制御手段は、通話が行われているときに緊急情報を報知するときは、前記音声信号出力手段による音声信号によって緊急情報を報知することを特徴とする情報報知システム。
【請求項８】
請求項１〜７のいずれか１項に記載の情報報知システムにおいて、
前記携帯型電子機器は、報知手段としての表示手段を備え、前記制御手段は、当該携帯型電子機器に対する操作が行われているときに緊急情報を報知するときは、前記表示手段による表示によって緊急情報を報知することを特徴とする情報報知システム。
【請求項９】
上りホームに情報を送出する上りホーム用情報送信手段と、
下りホームに情報を送出する下りホーム用情報送信手段と、
列車の利用者に直ちに報知すべき緊急情報が入力されると、緊急情報であることを示す種別データと前記緊急情報とを含む送出情報を作成し、作成した送出情報を前記上りホーム用情報送信手段および／または前記下りホーム用情報送信手段に出力する送出情報作成手段とを備えことを特徴とする情報出力装置。
【請求項１０】
請求項９記載の情報出力装置において、
前記送出情報作成手段は、前記緊急情報として、上り列車の到着または通過を示す運行情報が入力されたときは、当該運行情報を含む送出情報を作成して前記上りホーム用情報送信手段に出力し、下り列車の到着または通過を示す運行情報が入力されたときは、当該運行情報を含む送出情報を作成して前記下りホーム用情報送信手段に出力することを特徴とする情報出力装置。
【請求項１１】
請求項８または９に記載の情報出力装置において、
前記送出情報作成手段は、列車の利用者に直ちに報知する必要性が低い通常情報が入力されたときは、通常情報であることを示す種別データと前記通常情報とを含む送出情報を作成して、上りホーム用情報送信手段および／または下りホーム用情報送信手段に出力す
ることを特徴とする情報出力装置。
【請求項１２】
上りホームおよび下りホームに情報を送出する情報送信手段と、
上りホームであることを示すホーム判別データを上りホームに送出する上りホーム用ホーム判別データ送信手段と、
下りホームであることを示すホーム判別データを下りホームに送出する下りホーム用ホーム判別データ送信手段と、
列車の利用者に直ちに報知すべき緊急情報が入力されると、緊急情報であることを示す種別データと緊急情報の報知対象となるホームを示す対象ホームデータと前記緊急情報とを含む送出情報を作成し、作成した送出情報を前記情報送信手段に出力する送出情報作成手段とを備えることを特徴とする情報出力装置。
【請求項１３】
請求項１２記載の情報出力装置において、
前記送出情報作成手段は、前記緊急情報として、上り列車の到着または通過を示す運行情報が入力されたときは、緊急情報であることを示す種別データと上りホームを示す対象ホームデータと前記運行情報とを含む送出情報を作成し、下り列車の到着または通過を示す運行情報が入力されたときは、緊急情報であることを示す種別データと下りホームを示す対象ホームデータと前記運行情報とを含む送出情報を作成することを特徴とする情報出力装置。
【請求項１４】
請求項１２または１３に記載の情報出力装置において、
前記送出情報作成手段は、列車の利用者に直ちに報知する必要性が低い通常情報が入力されたときは、通常情報であることを示す種別データと上りホームおよび／または下りホームを示す対象ホームデータと前記通常情報とを含む送出情報を作成することを特徴とする情報出力装置。
【請求項１５】
情報出力装置から送出された送出情報を受信する受信手段と、
情報を当該携帯型電子機器の使用者に報知する報知手段と、
前記受信手段によって受信された送出情報に緊急情報であることを示す種別データが含まれているときは、前記緊急情報を前記使用者に報知するように前記報知手段を制御する制御手段とを備えることを特徴とする携帯型電子機器。
【請求項１６】
請求項１５記載の携帯型電子機器において、
通常情報を記憶するメモリと、通常情報の報知を指示する指示手段とを備え、前記制御手段は、受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴とする携帯型電子機器。
【請求項１７】
情報出力装置から送出される送出情報を受信する第１受信手段と、
前記情報出力装置から送出されるホーム判別データを受信する第２受信手段と、
情報を当該携帯型電子機器の使用者に報知する報知手段と、
前記第１受信手段によって受信された送出情報に含まれている対象ホームデータと前記第２受信手段によって受信されたホーム判別データとが一致し、受信された送出情報に緊急情報を示す種別データが含まれているときは、受信された送出情報に含まれている緊急情報を前記使用者に報知するように前記報知手段を制御する制御手段とを備えることを特徴とする携帯型電子機器。
【請求項１８】
請求項１７記載の携帯型電子機器において、
通常情報を記憶するメモリと、通常情報の報知を指示する指示手段とを備え、前記制御
手段は、受信した送出情報に含まれている対象ホームデータと受信したホーム判別データとが一致し、かつ受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴とする携帯型電子機器。
【請求項１９】
請求項１５〜１８のいずれか１項に記載の携帯型電子機器において、
前記携帯型電子機器は、通話機能を有するとともに、前記報知手段としての音声信号出力手段を備え、前記制御手段は、通話が行われているときに緊急情報を報知するときは、前記音声信号出力手段による音声信号によって緊急情報を報知することを特徴とする携帯型電子機器。
【請求項２０】
請求項１５〜１９のいずれか１項に記載の携帯型電子機器において、
前記携帯型電子機器は、報知手段としての表示手段を備え、前記制御手段は、当該携帯型電子機器に対する操作が行われているときに緊急情報を報知するときは、前記表示手段による表示によって緊急情報を報知することを特徴とする携帯型電子機器。
【請求項２１】
緊急情報を報知する機能を有する携帯型電子機器において、
通話機能を有するとともに、音声信号出力手段を備え、通話が行われているときに緊急情報を報知するときは、前記音声信号出力手段による音声信号によって緊急情報を報知することを特徴とする携帯型電子機器。
【請求項２２】
緊急情報を報知する機能を有する携帯型電子機器において、
表示手段を備え、当該携帯型電子機器に対する操作が行われているときに緊急情報を報知するときは、前記表示手段によって緊急情報を報知することを特徴とする携帯型電子機器。
【発明の詳細な説明】
【技術分野】
【０００１】
本発明は、駅のプラットホーム（単に「ホーム」ということもある）にいる列車の利用者に対して、列車のプラットホームへの進入、列車の運行状況、駅構内の施設案内などの報知情報を前記利用者が携帯している携帯型電子機器を使用して報知する情報報知システム、ならびにこの報知システムを構成する情報出力装置および携帯型電子機器に関する。
【背景技術】
【０００２】
列車が発着する駅のプラットホームでは、列車のプラットホームへの進入などの危険情報は、プラットホームに設置したスピーカから出力される構内放送や駅員による直接の警告によって、プラットホームにいる列車の利用者に対して報知されている。しかしながら、利用者が携帯電話機による通話や電子メールの入力操作などのように携帯型電子機器を使用している場合は、通話や入力操作などに気をとられて構内放送による危険情報を聞き漏らすなどして正確に認識できないときがある。そこで、列車の利用者が使用している携帯型電子機器を利用して、危険情報や列車の運行情報などの報知情報を列車の利用者に報知する技術が提案されている（例えば、特許文献１参照）。
【０００３】
特許文献１に記載されているシステムは、可搬型電子機器と計算機とからなり、駅の構内で使用される移動支援システムである。計算機は、構内を発着する移動車両の運行状況を格納する移動車両運行情報データベースを検索して危険情報を生成し、生成した危険情報を送信する。可搬型電子機器は、危険情報を受信すると、振動、鳴動音、光などを発生させて、可搬型電子機器の使用者に危険を報知する。例えば計算機は、駅のプラットホームに列車が到着するとき、発車するときおよび通過するときに、危険情報を生成して送信する。これによって、可搬型電子機器の使用者は、列車の発着および通過を知ることができる。
【特許文献１】特開２００２−２６４８１２号公報
【発明の開示】
【発明が解決しようとする課題】
【０００４】
上述した特許文献１に記載されているシステムを駅で使用すれば、可搬型（携帯型）電子機器の使用者は、駅の構内で危険情報として列車の発着および通過を知ることができる。
【０００５】
しかしながら、このシステムでは列車が発着および通過するたびに危険情報が一律に送信されるので、列車が発着および通過するプラットホーム以外の場所にいる電子機器の使用者にとっては、不必要で意味のない危険情報が報知されることになる。例えば上りホームと下りホームとが別々に設けられた駅において、上りホームにいる電子機器の使用者にとっては、下りホームに対する列車の発着および通過は危険情報としては不必要で意味のないものである。
【０００６】
また、電子機器によって危険情報が報知されたとき、電子機器の使用者は列車に対して注意を向けて、必要に応じて危険回避行動、例えばプラットホームの白線の内側に下がるといった行動をとることができる。しかし、電子機器の使用者にとって不必要な危険情報であれば、列車に対して注意を向けたり、危険回避行動をとったりすることは、無駄なものになる。特に、電子機器を使用して通話やデータ入力などの作業を行っているときに、不必要な危険情報が報知されると、作業が中断されるなどして電子機器の使用者に不快感を与えることになる。
【０００７】
本発明の目的は、駅のプラットホームにいる携帯型電子機器の使用者に対して、情報を適切に報知することができる情報報知システムならびにこのシステムに用いられる情報出力装置および携帯型電子機器を提供することにある。
【課題を解決するための手段】
【０００８】
請求項１に係る発明は、情報出力装置と携帯型電子機器とを備えて構成される情報報知システムであって、
前記情報出力装置は、上りホームに情報を送出する上りホーム用情報送信手段と、
下りホームに情報を送出する下りホーム用情報送信手段と、
列車の利用者に直ちに報知すべき緊急情報が入力されると、緊急情報であることを示す種別データと前記緊急情報とを含む送出情報を作成し、作成した送出情報を前記上りホーム用情報送信手段および／または前記下りホーム用情報送信手段に出力する情報作成手段とを備え、
前記携帯型電子機器は、前記送出情報を受信する受信手段と、
情報を当該携帯型電子機器の使用者に報知する報知手段と、
前記受信手段によって受信された送出情報に緊急情報であることを示す種別データが含まれているときは、受信された送出情報に含まれている緊急情報を前記使用者に報知するように前記報知手段を制御する制御手段とを備えることを特徴とする情報報知システムである。
【０００９】
本発明によれば、列車の利用者に直ちに報知すべき緊急情報が情報出力装置に入力されると、情報作成手段によって緊急情報であることを示す種別データと前記緊急情報とを含む送出情報が作成され、作成された送出情報は上りホーム用情報送信手段および／または下りホーム用情報送信手段によって、上りホームおよび／または下りホームに送出される。即ち、上りホームにいる利用者に報知すべき緊急情報が入力されたときは送出情報が上りホームに送出され、下りホームにいる利用者に報知すべき緊急情報が入力されたときは送出情報が下りホームに送出され、上りホームおよび下りホームにいる利用者に報知すべき緊急情報が入力されたときは送出情報が上りホームおよび下りホームそれぞれに送出される。
【００１０】
そして、上りホームに送出情報が送出されたときは、上りホームで使用されている携帯型電子機器において、受信手段によって送出情報が受信され、受信された送出情報に緊急情報であることを示す種別データが含まれているときは、受信された送出情報に含まれている緊急情報が報知手段によって当該携帯型電子機器の使用者に報知される。一方、下りホームに送出情報が送出されたときは、下りホームで使用されている携帯型電子機器において、受信手段によって送出情報が受信され、受信された送出情報に緊急情報であることを示す種別データが含まれているときは、受信された送出情報に含まれている緊急情報が報知手段によって当該携帯型電子機器の使用者に報知される。したがって、携帯型電子機器の使用者は、自分にとって必要な緊急情報だけを認識できるようになる。
【００１１】
請求項２に係る発明は、上記情報報知システムにおいて、
前記送出情報作成手段は、前記緊急情報として、上り列車の到着または通過を示す運行情報が入力されたときは、当該運行情報を含む送出情報を作成して前記上りホーム用情報送信手段に出力し、下り列車の到着または通過を示す運行情報が入力されたときは、当該運行情報を含む送出情報を作成して前記下りホーム用情報送信手段に出力することを特徴としている。
【００１２】
例えば、上り列車が到着または通過するときは、列車の運行状況を管理する中央指令センタから、上り列車の到着または通過を示す運行情報が駅に送信される。本発明では、運行情報を緊急情報として情報出力装置の送出情報作成手段に入力させる。送出情報作成手
段では、上り列車の到着または通過を示す運行情報を含む送出情報が作成され、作成された送出情報は上りホーム用情報送信手段から上りホームに送出される。このとき、この送出情報は下りホームには送出されない。したがって、携帯型電子機器の使用者が上りホームにいる場合は、その携帯型電子機器では、受信手段によって送出情報が受信され、受信された送出情報に含まれている運行情報が報知手段によって当該携帯型電子機器の使用者に報知される。これによって、上りホームにいる携帯型電子機器の使用者は、上り列車の接近を認識することができ、必要に応じてプラットホームの白線の内側に移動するなどの適切な危険回避行動をとることができる。
【００１３】
一方、携帯型電子機器の使用者が下りホームにいる場合は、その携帯型電子機器では送出情報は受信されないので、送出情報に含まれている運行情報が当該携帯型電子機器の使用者に報知されることはない。即ち、下りホームにいる携帯型電子機器の使用者に対して不必要な運行情報が報知されることを防止できる。したがって、下りホームにいる携帯型電子機器の使用者は、当該電子機器での作業を中断することなくそのまま継続することができる。
【００１４】
また、下り列車が到着または通過するときは、前記中央指令センタから駅に送信される下り列車の到着または通過を示す運行情報を、緊急情報として情報報知装置の送出情報作成手段に入力させる。これによって、下り列車の到着または通過を示す運行情報を含む送出情報が下りホームに送出される。このとき、この送出情報は上りホームには送出されない。したがって、下りホームにいる携帯型電子機器の使用者は、下り列車の接近を認識することができ、必要に応じてプラットホームの白線の内側に移動するなどの適切な危険回避行動をとることができる。一方、携帯型電子機器の使用者が上りホームにいる場合は、使用者に対して不必要な運行情報が報知されることを防止できる。したがって、上りホームにいる携帯型電子機器の使用者は、当該電子機器での作業を中断することなくそのまま継続することができる。
【００１５】
請求項３に係る発明は、上記情報報知システムにおいて、
前記送出情報作成手段は、列車の利用者に直ちに報知する必要性が低い通常情報が入力されたときは、通常情報であることを示す種別データと前記通常情報とを含む送出情報を作成して、上りホーム用情報送信手段および／または下りホーム用情報送信手段に出力し、
前記携帯型電子機器は、通常情報を記憶するメモリと、通常情報の報知を指示する指示手段とを備え、前記制御手段は、受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴としている。
【００１６】
本発明によれば、列車の利用者に直ちに報知する必要性が低い通常情報が情報出力装置に入力されると、送出情報作成手段によって通常情報であることを示す種別データと前記通常情報とを含む送出情報が作成され、作成された送出情報は上りホームおよび／または下りホームに送出される。例えば、通常情報として上り列車の時刻表情報が入力されたときは時刻表情報を含む送出情報が上りホームに送出され、通常情報として下り列車の時刻表情報が入力されたときは時刻表情報を含む送出情報が下りホームに送出され、通常情報として駅構内の施設の案内情報が入力されたときは案内情報を含む送出情報が上りホームおよび下りホームそれぞれに送出される。
【００１７】
そして、上りホームに送出情報が送出されたときは、上りホームで使用されている携帯型電子機器において送出情報が受信され、受信された送出情報に通常情報であることを示す種別データが含まれているときは、受信された送出情報に含まれている通常情報がメモ
リに記憶される。使用者が指示手段を操作して通常情報の報知を指示すると、メモリに記憶されている通常情報が報知手段によって使用者に報知される。これによって、上りホームにいる使用者は、例えば上り列車の時刻表情報や駅構内の施設案内情報などの通常情報を必要なときに知ることができる。一方、下りホームに送出情報が送出されたときは、下りホームで使用されている携帯型電子機器において送出情報が受信され、受信された送出情報に通常情報であることを示す種別データが含まれているときは、受信された送出情報に含まれている通常情報がメモリに記憶される。使用者が指示手段を操作して通常情報の報知を指示すると、メモリに記憶されている通常情報が報知手段によって使用者に報知される。これによって、下りホームにいる使用者は、例えば下り列車の時刻表情報や駅構内の施設案内情報などの通常情報を必要なときに知ることができる。
【００１８】
請求項４に係る発明は、情報出力装置と携帯型電子機器とを備えて構成される情報報知システムであって、
前記情報出力装置は、上りホームおよび下りホームに情報を送出する情報送信手段と、
上りホームであることを示すホーム判別データを上りホームに送出する上りホーム用ホーム判別データ送信手段と、
下りホームであることを示すホーム判別データを下りホームに送出する下りホーム用ホーム判別データ送信手段と、
列車の利用者に直ちに報知すべき緊急情報が入力されると、緊急情報であることを示す種別データと緊急情報の報知対象となるホームを示す対象ホームデータと前記緊急情報とを含む送出情報を作成し、作成した送出情報を前記情報送信手段に出力する送出情報作成手段とを備え、
前記携帯型電子機器は、前記送出情報を受信する第１受信手段と、
前記ホーム判別データを受信する第２受信手段と、
情報を当該携帯型電子機器の使用者に報知する報知手段と、
前記第１受信手段によって受信された送出情報に含まれている対象ホームデータと前記第２受信手段によって受信されたホーム判別データとが一致し、受信された送出情報に緊急情報を示す種別データが含まれているときは、受信された送出情報に含まれている緊急情報を前記使用者に報知するように前記報知手段を制御する制御手段とを備えることを特徴とする情報報知システムである。
【００１９】
本発明によれば、列車の利用者に直ちに報知すべき緊急情報が情報出力装置に入力されると、送出情報作成手段によって種別データと対象ホームデータと前記緊急情報とを含む送出情報が作成され、作成された送出情報は情報送信手段によって、上りホームおよび下りホームに送出される。即ち、上りホームにいる利用者に報知すべき緊急情報が入力されたときでも、下りホームにいる利用者に報知すべき緊急情報が入力されたときでも、緊急情報を含む送出情報は上りホームおよび下りホームの双方に送出される。また、上りホームには、上りホーム用ホーム判別データ送信手段によって上りホームを示すホーム判別データが送出され、下りホームには、下りホーム用ホーム判別データ送信手段によって下りホームを示すホーム判別データが送出されている。
【００２０】
ここでは、情報の報知対象が上りホームであることを示す対象ホームデータを含む送出情報が送信されたときを例にとり説明する。上りホームで使用されている携帯型電子機器では、第１受信手段によって受信された送出情報に含まれている対象ホームデータと第２受信手段によって受信されたホーム判別データとが一致する。したがって、受信された送出情報に緊急情報であることを示す種別データが含まれているときは、受信された送出情報に含まれている緊急情報は、報知手段によって当該携帯型電子機器の使用者に報知される。一方、下りホームで使用されている携帯型電子機器では、第１受信手段によって受信された送出情報に含まれている対象ホームデータと第２受信手段によって受信されたホーム判別データとが一致しない。したがって、受信された送出情報に含まれている緊急情報
は、当該携帯型電子機器の使用者に報知されない。これによって、携帯型電子機器の使用者は、自分にとって必要な緊急情報だけを認識できるようになる。
【００２１】
請求項５に係る発明は、上記情報報知システムにおいて、
前記送出情報作成手段は、前記緊急情報として、上り列車の到着または通過を示す運行情報が入力されたときは、緊急情報であることを示す種別データと上りホームを示す対象ホームデータと前記運行情報とを含む送出情報を作成し、下り列車の到着または通過を示す運行情報が入力されたときは、緊急情報であることを示す種別データと下りホームを示す対象ホームデータと前記運行情報とを含む送出情報を作成することを特徴としている。
【００２２】
例えば、上り列車が駅に到着または駅を通過するときは、列車の運行状況を管理する中央指令センタから、上り列車の到着または通過を示す運行情報が駅に送信される。本発明では、運行情報を緊急情報として情報出力装置の送出情報作成手段に入力させる。送出情報作成手段では、緊急情報であることを示す種別データと上りホームを示す対象ホームデータと前記運行情報とを含む送出情報が作成され、作成された送出情報は情報送信手段によって、上りホームおよび下りホームに送出される。
【００２３】
したがって、携帯型電子機器の使用者が上りホームにいる場合は、当該携帯型電子機器では上りホームを示すホーム判別情報が受信されているので、受信した送出情報に含まれている対象ホームデータとホーム判別データとが一致し、その結果、上り列車の到着または通過を示す運行情報が携帯型電子機器の使用者に報知される。これによって、上りホームにいる携帯型電子機器の使用者は、上り列車の接近を認識することができ、必要に応じてプラットホームの白線の内側に移動するなどの適切な危険回避行動をとることができる。
【００２４】
一方、携帯型電子機器の使用者が下りホームにいる場合は、当該携帯型電子機器では下りホームを示すホーム判別データが受信されているので、受信した送出情報に含まれている対象ホームデータとホーム判別データとが一致せず、その結果、上り列車の到着または通過を示す運行情報は携帯型電子機器の使用者に報知されることはない。即ち、下りホームにいる携帯型電子機器の使用者に対して不必要な運行情報（危険情報）が報知されることを防止できる。したがって、下りホームにいる携帯型電子機器の使用者は、当該電子機器での作業を中断することなくそのまま継続することができる。
【００２５】
また、下り列車が駅に到着または駅を通過するときは、前記中央指令センタから駅に送信される下り列車の到着または通過を示す運行情報を、緊急情報として情報出力装置の送出情報作成手段に入力させる。これによって、緊急情報であることを示す種別データと下りホームを示す対象ホームデータと前記運行情報とを含む送出情報が、上りホームおよび下りホームに送出される。したがって、携帯型電子機器の使用者が下りホームにいる場合は、下り列車の到着または通過を示す運行情報が当該携帯型電子機器の使用者に報知される。一方、携帯型電子機器の使用者が上りホームにいる場合は、下り列車の到着または通過を示す運行情報は当該携帯型電子機器の使用者に報知されることはない。
【００２６】
請求項６に係る発明は、上記情報報知システムにおいて、
前記送出情報作成手段は、列車の利用者に直ちに報知する必要性が低い通常情報が入力されたときは、通常情報であることを示す種別データと上りホームおよび／または下りホームを示す対象ホームデータと前記通常情報とを含む送出情報を作成し、
前記携帯型電子機器は、通常情報を記憶するメモリと、通常情報の報知を指示する指示手段とを備え、前記制御手段は、受信した送出情報に含まれている対象ホームデータと受信したホーム判別データとが一致し、かつ受信した送出情報に通常情報であることを示す種別データが含まれているときは、受信した送出情報に含まれている通常情報を前記メモ
リに記憶させ、前記指示手段の指示に応答して前記メモリに記憶されている通常情報を前記使用者に報知するように前記報知手段を制御することを特徴としている。
【００２７】
本発明によれば、列車の利用者に直ちに報知する必要性が低い通常情報が情報出力装置に入力されると、送出情報作成手段によって種別データと対象ホームデータと前記通常情報とを含む送出情報が作成され、作成された送出情報は情報送信手段によって上りホームおよび下りホームに送出される。例えば、通常情報として上り列車の時刻表情報が入力されたときは、通常情報であることを示す種別データと上りホームを示す対象ホームデータと当該時刻表情報とを含む送出情報がホームに送出される。通常情報として下り列車の時刻表情報が入力されたときは、通常情報であることを示す種別データと下りホームを示す対象ホームデータと当該時刻表情報とを含む送出情報がホームに送出される。通常情報として駅構内の施設案内情報が入力されたときは、通常情報であることを示す種別データと上りホームおよび下りホームを示す対象ホームデータと当該施設情報とを含む送出情報がホームに送出される。
【００２８】
通常情報であることを示す種別データと上りホームを示す対象ホームデータと通常情報とを含む送出情報がホームに送信された場合は、上りホームで使用されている携帯型電子機器では、受信された送出情報に含まれている対象ホームデータと受信したホーム判別データとが一致し、かつ受信した送出情報に通常情報であることを示す種別データが含まれているので、受信した送出情報に含まれている通常情報はメモリに記憶される。これに対し、下りホームで使用されている携帯型電子機器では、受信された送出情報に含まれている対象ホームデータと受信したホーム判別データとが一致しないので、受信した送出情報に含まれている通常情報はメモリに記憶されない。
【００２９】
一方、通常情報であることを示す種別データと下りホームを示す対象ホームデータと通常情報とを含む送出情報がホームに送信された場合は、下りホームで使用されている携帯型電子機器では、受信した送出情報に含まれている対象ホームデータと受信したホーム判別データとが一致し、かつ受信した送出情報に通常情報であることを示す種別データが含まれているので、受信した送出情報に含まれている通常情報がメモリに記憶される。これに対し、上りホームで使用されている携帯型電子機器では、受信した送出情報に含まれている対象ホームデータと受信したホーム判別データとが一致しないので、受信した送出情報に含まれている通常情報はメモリに記憶されない。
【００３０】
したがって、携帯型電子機器の使用者は、自分がいるプラットホームに応じて必要とされる通常情報だけを認識できるようになる。即ち、上りホームにいる使用者が指示手段を操作して通常情報の報知を指示すると、上り列車の時刻表情報や駅構内の施設案内情報が報知されるが、下り列車の時刻表情報は報知されない。逆に、下りホームにいる使用者が指示手段を操作して通常情報の報知を指示すると、下り列車の時刻表情報や駅構内の施設案内情報が報知されるが、上り列車の時刻表情報は報知されない。
【００３１】
請求項７に係る発明は、上記情報報知システムにおいて、
前記携帯型電子機器は、通話機能を有するとともに、前記報知手段としての音声信号出力手段を備え、前記制御手段は、通話が行われているときに緊急情報を報知するときは、前記音声信号出力手段による音声信号によって緊急情報を報知することを特徴としている。
【００３２】
本発明によれば、携帯型電子機器の使用者が通話を行っているときに緊急情報を含む送出情報が受信されたときは、音声信号によって緊急情報が使用者に報知される。したがって、携帯型電子機器の使用者は、通話を行っていて携帯型電子機器を見ていないような場合であっても、緊急情報を確実に認識することができる。
【００３３】
請求項８に係る発明は、上記情報報知システムにおいて、
前記携帯型電子機器は、報知手段としての表示手段を備え、前記制御手段は、当該携帯型電子機器に対する操作が行われているときに緊急情報を報知するときは、前記表示手段による表示によって緊急情報を報知することを特徴としている。
【００３４】
本発明によれば、使用者が携帯型電子機器に対する操作を行っているときに緊急情報を含む送出情報が受信されたときは、表示手段による表示によって緊急情報が使用者に報知される。したがって、携帯型電子機器の使用者は、例えば電子メールの入力操作やＷｅｂページ閲覧のための入力操作を表示手段を見ながら行っている場合に、緊急情報を確実に認識することができる。
【００３５】
請求項９に係る発明は、上りホームに情報を送出する上りホーム用情報送信手段と、
下りホームに情報を送出する下りホーム用情報送信手段と、
列車の利用者に直ちに報知すべき緊急情報が入力されると、緊急情報であることを示す種別データと前記緊急情報とを含む送出情報を作成し、作成した送出情報を前記上りホーム用情報送信手段および／または前記下りホーム用情報送信手段に出力する送出情報作成手段とを備えことを特徴とする情報出力装置である。
【００３６】
請求項１０に係る発明は、上記情報出力装置において、
前記送出情報作成手段は、前記緊急情報として、上り列車の到着または通過を示す運行情報が入力されたときは、当該運行情報を含む送出情報を作成して前記上りホーム用情報送信手段に出力し、下り列車の到着または通過を示す運行情報が入力されたときは、当該運行情報を含む送出情報を作成して前記下りホーム用情報送信手段に出力することを特徴としている。
【００３７】
請求項１１に係る発明は、上記情報出力装置において、
前記送出情報作成手段は、列車の利用者に直ちに報知する必要性が低い通常情報が入力されたときは、通常情報であることを示す種別データと前記通常情報とを含む送出情報を作成して、上りホーム用情報送信手段および／または下りホーム用情報送信手段に出力することを特徴としている。
【００３８】
請求項１２に係る発明は、上りホームおよび下りホームに情報を送出する情報送信手段と、
上りホームであることを示すホーム判別データを上りホームに送出する上りホーム用ホーム判別データ送信手段と、
下りホームであることを示すホーム判別データを下りホームに送出する下りホーム用ホーム判別データ送信手段と、
列車の利用者に直ちに報知すべき緊急情報が入力されると、緊急情報であることを示す種別データと緊急情報の報知対象となるホームを示す対象ホームデータと前記緊急情報とを含む送出情報を作成し、作成した送出情報を前記情報送信手段に出力する送出情報作成手段とを備えることを特徴とする情報出力装置である。
【００３９】
請求項１３に係る発明は、上記情報出力装置において、
前記送出情報作成手段は、前記緊急情報として、上り列車の到着または通過を示す運行情報が入力されたときは、緊急情報であることを示す種別データと上りホームを示す対象ホームデータと前記運行情報とを含む送出情報を作成し、下り列車の到着または通過を示す運行情報が入力されたときは、緊急情報であることを示す種別データと下りホームを示す対象ホームデータと前記運行情報とを含む送出情報を作成することを特徴としている。
【００４０】
請求項１４に係る発明は、上記情報出力装置において、
前記送出情報作成手段は、列車の利用者に直ちに報知する必要性が低い通常情報が入力されたときは、通常情報であることを示す種別データと上りホームおよび／または下りホームを示す対象ホームデータと前記通常情報とを含む送出情報を作成することを特徴としている。
【００４１】
請求項１５に係る発明は、情報出力装置から出力された送出情報を受信する受信手段と、
情報を当該携帯型電子機器の使用者に報知する報知手段と、
前記受信手段によって受信された情報に緊急情報であることを示す種別データが含まれているときは、前記緊急情報を前記使用者に報知するように前記報知手段を制御する制御手段とを備えることを特徴とする携帯型電子機器である。
【００４２】
請求項１６に係る発明は、上記携帯型電子機器において、
通常情報を記憶するメモリと、通常情報の報知を指示する指示手段とを備え、前記制御手段は、受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴としている。
【００４３】
請求項１７に係る発明は、情報出力装置から送出される送出情報を受信する第１受信手段と、
前記情報出力装置から送出されるホーム判別情報を受信する第２受信手段と、
情報を当該携帯電子機器の使用者に報知する報知手段と、
前記第１受信手段によって受信された送出情報に含まれている対象ホームデータと前記第２受信手段によって受信されたホーム判別データとが一致し、受信された送出情報に緊急情報を示す種別データが含まれているときは、受信された送出情報に含まれている緊急情報を前記使用者に報知するように前記報知手段を制御する制御手段とを備えることを特徴とする携帯型電子機器である。
【００４４】
請求項１８に係る発明は、上記携帯型電子機器において、
通常情報を記憶するメモリと、通常情報の報知を指示する指示手段とを備え、前記制御手段は、受信した送出情報に含まれている対象ホームデータと受信したホーム判別データとが一致し、かつ受信した送出情報に通常情報であることを示す種別データが含まれているときは、受信した送出情報に含まれている通常情報を前記メモリに記憶させ、前記指示手段の指示に応答して前記メモリに記憶されている通常情報を前記使用者に報知するように前記報知手段を制御することを特徴としている。
【００４５】
請求項１９に係る発明は、上記携帯型電子機器において、
前記携帯型電子機器は、通話機能を有するとともに、前記報知手段としての音声信号出力手段を備え、前記制御手段は、通話が行われているときに緊急情報を報知するときは、前記音声信号出力手段による音声信号によって緊急情報を報知することを特徴としている。
【００４６】
請求項２０に係る発明は、上記携帯型電子機器において、
前記携帯型電子機器は、報知手段としての表示手段を備え、前記制御手段は、当該携帯型電子機器に対する操作が行われているときに緊急情報を報知するときは、前記表示手段による表示によって緊急情報を報知することを特徴としている。
【００４７】
請求項２１に係る発明は、緊急情報を報知する機能を有する携帯型電子機器において、
通話機能を有するとともに、音声信号出力手段を備え、通話が行われているときに緊急情報を報知するときは、前記音声信号出力手段による音声信号によって緊急情報を報知することを特徴とする携帯型電子機器である。
【００４８】
請求項２２に係る発明は、緊急情報を報知する機能を有する携帯型電子機器において、
表示手段を備え、当該携帯型電子機器に対する操作が行われているときに緊急情報を報知するときは、前記表示手段によって緊急情報を報知することを特徴とする携帯型電子機器である。
【発明の効果】
【００４９】
本発明によれば、上りホームに緊急情報を含む送出情報が送出されたときは、上りホームにいる携帯型電子機器の使用者に緊急情報が報知され、下りホームに緊急情報を含む送出情報が送出されたときは、下りホームにいる携帯型電子機器の使用者に緊急情報が報知される。したがって、携帯型電子機器の使用者は、自分にとって必要な緊急情報だけを認識できるようになる。
【００５０】
また本発明によれば、上り列車が到着または通過するときは、上りホームにいる携帯型電子機器の使用者に上り列車の到着または通過が報知され、下り列車が到着または通過するときは、下りホームにいる携帯型電子機器の使用者に下り列車の到着または通過が報知される。したがって、携帯型電子機器の使用者は、自分がいるプラットホームに列車が接近するときにその旨を知ることができ、必要に応じてプラットホームの白線の内側に下がるなどの適切な危険回避行動をとることができる。また、携帯型電子機器の使用者がいるホームとは別のホームに列車が接近するときは、その旨は携帯型電子機器の使用者に報知されないので、携帯型電子機器の使用者は、携帯型電子機器での作業、例えば通話や入力操作を中断することなくそのまま継続することができる。
【００５１】
また本発明によれば、通常情報を含む送出情報が受信されたときは通常情報がメモリに記憶され、使用者が報知動作を行ったときに使用者に報知される。したがって、携帯型電子機器の使用者は、必要なときに列車の時刻表情報や駅構内の施設案内情報などの通常情報を知ることができる。
【００５２】
また本発明によれば、緊急情報は、携帯型電子機器の使用者が入力操作を行っているときは表示によって使用者に報知され、携帯型電子機器で使用者が通話しているときは音声によって報知される。したがって、使用者は、列車の到着または通過を示す運行情報のような緊急情報を、確実に認識できるようになる。
【発明を実施するための最良の形態】
【００５３】
（第１の実施形態）
以下、本発明の第１実施形態である鉄道関連情報報知システムを、図１〜図４を参照しながら説明する。図１は、鉄道関連情報報知システムの構成を示すブロック図である。
【００５４】
鉄道関連情報報知システムは、情報出力装置１と携帯型電子機器である携帯電話機２とを備えて構成されている。情報出力装置１は、鉄道の駅に設置される装置であり、上りホーム３に鉄道関連情報を含む送出データを送出する複数個（図１では３個）の上りホーム用送信機４と、下りホーム５に鉄道関連情報を含む送出データを送出する複数個（図１では３個）の下りホーム用送信機６と、鉄道関連情報を含む送出データを作成して上りホーム用送信機４および下りホーム用送信機６に出力する管理装置７とを備えて構成されている。上りホーム用送信機４と下りホーム用送信機６と管理装置７とは、ＬＡＮ（ローカルエリアネットッワーク）８で接続されている。
【００５５】
なお、上りホーム用送信機４が上りホーム用情報送信手段に相当し、下りホーム用送信機６が下りホーム用情報送信手段に相当し、管理装置７が送出情報作成手段に相当する。また、上りホーム３とは上り列車が発着するプラットホームであり、下りホーム５とは下り列車が発着するプラットホームである。図１では、上りホーム３と下りホーム５とは、上り線路９および下り線路１０を挟んで対向する場所に別々に設けられている。
【００５６】
上りホーム用送信機４は、送信機本体４ａと送信アンテナ４ｂとを備えて構成され、上りホーム３において一定の間隔をあけて設置される。送信アンテナ４ｂは、無指向性であり、上りホーム用送信機４の電波出力は、電波が下りホーム５には到達しない程度の比較的弱い出力とする。即ち、電波の到達範囲は、送信アンテナ４ｂを中心として半径数メートル程度、例えば上りホーム３の幅方向の長さを半径とする範囲になるように設定する。また、隣接する送信アンテナ４ｂからの電波の到達範囲が重なり合うようにして上りホーム３の全域に電波が到達するように、送信アンテナ４ｂを設置する。同様に、下りホーム用送信機６は、送信機本体６ａと送信アンテナ６ｂとを備えて構成され、下りホーム５において一定の間隔をあけて設置される。送信アンテナ６ｂは、無指向性であり、下りホーム用送信機６の電波出力は、電波が上りホーム３には到達しない程度の比較的弱い出力である。即ち、電波の到達範囲は、送信アンテナ６ｂを中心とする半径数メートル程度、例えば下りホーム５の幅方向の長さを半径とする範囲になるように設定する。また、隣接する送信アンテナ６ｂからの電波の到達範囲が重なり合うようにして下りホーム５の全域に電波が到達するように、送信アンテナ６ｂを設置する。
【００５７】
管理装置７は、当該管理装置７が設置されている駅における列車の運行状況を管理する装置であり、マイクロコンピュータで実現される制御手段である制御部７１と、操作部７２と、メモリ７３と、ＬＡＮ８に接続されるインタフェース７４とを備えて構成される。制御部７１は、操作部７２から入力される情報、メモリ７３に記憶されている情報、あるいは中央指令センタ１１から送られてくる情報等に基づいて、上りホーム３および下りホーム５にいる列車の利用者であって、携帯電話機２の使用者に対して報知する鉄道関連情報を含む送出データを作成する。そして、制御部７１は、作成した送出データをＬＡＮ８を介して、上りホーム用送信機４および／または下りホーム用送信機６に出力する。
【００５８】
携帯電話機２は、通話機能だけでなく、電子メール機能やＷｅｂ閲覧機能を有しており、さらには上述した情報出力装置１から送出された鉄道関連情報を含む送出データを受信して、携帯電話機２の使用者に鉄道関連情報を報知する報知機能も有している。制御手段である制御部２１は、マイクロコンピュータで構成され、携帯電話機２全体の動作を制御する。操作部２２は、携帯電話機２の使用者によって操作されるものであり、各種の機能実行時に必要な指示や情報等が入力される。例えば、通話機能では電話番号などが入力され、電子メール機能では送信アドレスやメールの文章などが入力され、Ｗｅｂ閲覧機能ではアクセスアドレスなどが入力され、報知機能では後述する通常情報の報知指示などが入力される。
【００５９】
メモリ２３は、各種機能の実行プログラムや制御パラメータなどを記憶するとともに、報知機能では受信した送出データに含まれている鉄道関連情報を記憶する。表示手段である表示部２４は、携帯電話機２の動作状態や操作部２２からの入力内容などを表示するとともに、報知機能では鉄道関連情報を表示する。表示部２４が報知手段に相当する。
【００６０】
マイクロホン２５は、通話時に使用者の音声をアナログ音声信号に変換してＡ／Ｄ（アナログ／デジタル）変換器２６に出力する。Ａ／Ｄ変換器２６は、マイクロホン２５からのアナログ音声信号をデジタル音声信号に変換してエンコーダ／デコーダ回路２７に出力する。エンコーダ／デコーダ回路２７は、デジタル音声信号を所定の規則に従って符号化して電話用無線回路２８に出力する。電話用無線回路２８は、符号化された信号を変調し
て所定の送信周波数でアンテナ２９から送出する。一方、電話局の中継局（中継アンテナ）から送出されている電波は、アンテナ２９によって受信され、受信信号は電話用無線回路２８に与えられる。電話用無線回路２８は、受信信号を復調した復調信号をエンコーダ／デコーダ回路２７に出力する。エンコーダ／デコーダ回路２７は、復調信号を復号してデジタル音声信号に復元してアンプ３０に出力する。アンプ３０は、Ｄ／Ａ（デジタル／アナログ）変換器を備え、デジタル音声信号をアナログ音声信号に変換するとともに増幅してスピーカ３１に出力する。スピーカ３１は、アナログ音声信号を音響化して出力する。また、制御部２１はデジタル音声信号を作成してエンコーダ／デコーダ回路２７を介してアンプ３０に与えることができるように構成されている。制御部２１、アンプ３０およびスピーカ３１が、音声信号出力手段に相当する。
【００６１】
また、情報出力装置１から送出されている電波は、アンテナ３２によって受信され、受信信号は狭域無線回路３３に与えられる。狭域無線回路３３は、受信信号を復調した復調信号をエンコーダ／デコーダ回路３４に出力する。エンコーダ／デコーダ回路３４は、復調信号を復号してデジタルデータ信号に復元して制御部２１に出力する。制御部２１は、必要に応じてデジタルデータをメモリ２３に記憶させる。アンテナ３２、狭域無線回路３３およびエンコーダ／デコーダ回路３４が、第１受信手段および第２受信手段に相当する。
【００６２】
図２は、情報出力装置１が送出する送出データ４０の構成を示す模式図である。送出データ４０は、種別データ４１と実データ４２とを含んで構成される。種別データ４１は、列車の利用者に直ちに報知すべき緊急情報であるか、列車の利用者に直ちに報知する必要性の低い通常情報であるかを示すデータである。実データ４２は、列車の利用者に実際に報知する報知情報に対応するデータである。
【００６３】
図３は、情報出力装置１における送出データの送出時の処理手順を説明するためのフローチャートである。ステップａ１では、管理装置７の制御部７１は報知情報が入力されたか否かを判断する。中央指令センタ１１から列車の到着または通過を示す運行情報が入力された場合、操作部７２から情報と報知命令とが入力された場合に、報知情報が入力されたと判断される。
【００６４】
ステップａ２では、制御部７１は報知情報を解析する。即ち、制御部７１は、報知情報が緊急情報であるか通常情報であるかを判断する。例えば、列車の到着または通過を示す運行情報のように予め定められた種類の情報と、報知命令とともに緊急情報として入力された情報が、緊急情報であると判断される。一方、時刻表情報や駅構内の施設案内情報などのように予め定められた種類の情報と、報知命令とともに通常情報として入力された情報とが、通常情報であると判断される。
【００６５】
ステップａ３では、制御部７１は報知情報を出力する送信機を決定する。これは、送出データの送出対象ホームを、上りホーム３および下りホーム５のどちらにするか、あるいは両方にするかを決定することである。例えば、報知情報が上り列車の到着または通過を示す運行情報や上り列車の時刻表情報である場合は、送出対象ホームを上りホーム３とし、報知情報が下り列車の到着または通過を示す運行情報や下り列車の時刻表情報である場合は、送出対象ホームを下りホーム５とする。また、報知情報が、駅構内の施設案内情報である場合は、送出対象ホームを上りホーム３および下りホーム５の両方とする。
【００６６】
ステップａ４では、制御部７１は送出データ４０を作成する。つまり、図２に示すような種別データ４１と実データ４２とを含む送出データ４０が作成される。入力された報知情報が緊急情報である場合は、種別データ４１を緊急情報であることを示すデータとし、実データ４２を報知情報に対応するデータとする。一方、入力された報知情報が通常情報
である場合は、種別データ４１を通常情報であることを示すデータとし、実データ４２を報知情報に対応するデータとする。
【００６７】
ステップａ５では、制御部７１は送出データ４０を、ステップａ３で決定した送出対象ホームに設置された送信機に出力し、送出データ４０が与えられた送信機は送出データ４０を送出する。
【００６８】
図４は、携帯電話機２における情報の報知動作時の処理手順を説明するためのフローチャートである。ステップｂ１では、制御部２１は狭域無線回路３３によって情報出力装置１からの送出データ４０を受信したか否かを判断する。送出データ４０を受信した場合は、ステップｂ２に進み、送出データ４０を受信していない場合はステップｂ７に進む。
【００６９】
ステップｂ２では、制御部２１は受信した送出データ４０内の実データ４２が緊急情報であるか否かを判断する。これは、図２に示す種別データ４１が、緊急情報であることを示すデータであるか、あるいは通常情報であることを示すデータであるかによって判断する。緊急情報である場合は、ステップｂ３に進み、通常情報である場合はステップｂ６に進む。
【００７０】
ステップｂ３では、制御部２１は携帯電話機２の使用状態を判断する。具体的には、操作中であるか通話中であるかを判断する。操作中である場合とは、例えば電子メールの入力操作中である場合や、Ｗｅｂページ閲覧のための入力操作中である場合のように、使用者が操作部２２を操作しながら表示部２４を見ている場合である。操作中である場合は、ステップｂ４に進み、制御部２１は受信した送出データ４０内の実データ４２、即ち緊急情報を表示部２４に表示して使用者に報知する。これによって、携帯電話機２を操作している使用者は、表示部２４を見て緊急情報を認識することができる。
【００７１】
一方、通話中である場合は、ステップｂ５に進み、制御部２１は緊急情報である報知情報をスピーカ３１から音声として出力することによって使用者に報知する。これによって、携帯電話機２で通話している使用者は、音声を聞いて緊急情報である報知情報を認識することができる。
【００７２】
また、ステップｂ２で受信した送出データ４０内の実データ４２が通常情報であると判断された場合は、ステップｂ６に進み、制御部２１は、受信した送出データ４０内の実データ４２、即ち通常情報をメモリ２３に記憶させる。さらに、ステップｂ１で送出データ４０が受信されていない場合は、ステップｂ７に進む。
【００７３】
ステップｂ７では、制御部２１は操作部２２で報知操作が行われたか否かを判断する。報知操作が行われた場合は、ステップｂ８に進み、制御部２１はメモリ２３に通常情報が記憶されているか否かを判断する。通常情報が記憶されている場合は、ステップｂ９に進み、制御部２１は通常情報を表示部２４に表示して使用者に報知する。これによって、使用者は、表示部２４を見て通常情報を認識することができる。
【００７４】
第１実施形態によれば、報知情報として緊急情報が管理装置７に入力されると、緊急情報を含む送出データ４０が作成され、作成された送出データ４０は上りホーム３および／または下りホーム５に送出される。即ち、上りホーム３にいる利用者に報知すべき緊急情報が入力されたときは送出データ４０が上りホーム３に送出され、下りホーム５にいる利用者に報知すべき緊急情報が入力されたときは送出データ４０が下りホーム５に送出され、上りホーム３および下りホーム５にいる利用者に報知すべき緊急情報が入力されたときは送出データが上りホーム３および下りホーム５それぞれに送出される。
【００７５】
そして、上りホーム３に送出データが送出されたときは、上りホーム３で使用されている携帯電話機２において送出データ４０が受信され、受信された送出データ４０内の緊急情報（実データ４２）が携帯電話機２の使用者に報知される。一方、下りホーム５に送出データが送出されたときは、下りホーム５で使用されている携帯電話機２において送出データ４０が受信され、受信された送出データ４０内の緊急情報（実データ４２）が携帯電話機２の使用者に報知される。したがって、携帯電話機２の使用者は、自分にとって必要な緊急情報だけを認識できるようになる。
【００７６】
また、例えば上り列車が到着または通過するときは、列車の運行状況を管理する中央指令センタ１１から、上り列車の到着または通過を示す運行情報が駅に送信される。この運行情報を報知情報として管理装置７に入力させると、緊急情報であることを示す種別データ４１と運行情報に対応する実データ４２とを含む送出データ４０が作成され、作成された送出データ４０は上りホーム３に送出される。このとき、この送出データ４０は下りホーム５には送出されない。したがって、上りホーム３にいる使用者が使用している携帯電話機２では送出データ４０が受信され、受信された送出データ４０内の実データ４２、即ち緊急情報である運行情報が携帯電話機２の使用者に報知される。これによって、上りホームにいる携帯電話機２の使用者は、上り列車の接近を認識することができ、必要に応じてプラットホームの白線の内側に移動するなどの適切な危険回避行動をとることができる。
【００７７】
一方、下りホームにいる使用者が使用している携帯電話機２では、送出データ４０は受信されないので、送出データ４０内の実データ４２が携帯電話機２の使用者に報知されることはない。即ち、下りホーム５にいる携帯電話機２の使用者に対して不必要な情報が報知されることを防止できる。したがって、下りホーム５にいる携帯電話機２の使用者は、携帯電話機２での作業を中断することなくそのまま継続することができる。
【００７８】
また、下り列車が到着または通過するときは、中央指令センタ１１から駅に送信される下り列車の到着または通過を示す運行情報を、報知情報として管理装置７に入力させる。これによって、下り列車の到着または通過を示す運行情報を含む送出データ４０が下りホーム５に送出される。このとき、この送出データ４０は上りホーム３には送出されない。したがって、下りホーム５にいる携帯電話機２の使用者は、下り列車の接近を認識することができ、必要に応じてプラットホームの白線の内側に移動するなどの適切な危険回避行動をとることができる。一方、携帯電話機２の使用者が上りホーム３にいる場合は、使用者に対して不必要な情報が報知されることを防止できる。したがって、上りホーム３にいる携帯電話機２の使用者は、携帯電話機２での作業を中断することなくそのまま継続することができる。
【００７９】
さらに、列車の利用者に直ちに報知する必要性が低い通常情報が管理装置７に入力されると、通常情報を含む送出データ４０が作成され、作成された送出データ４０は上りホーム３および／または下りホーム５に送出される。例えば、通常情報として上り列車の時刻表情報が入力されたときは、時刻表情報を含む送出データ４０が上りホーム３に送出され、通常情報として下り列車の時刻表情報が入力されたときは、時刻表情報を含む送出データ４０が下りホーム５に送出され、通常情報として駅構内の施設の案内情報が入力されたときは、案内情報を含む送出データ４０が上りホーム３および下りホーム５それぞれに送出される。
【００８０】
そして、上りホーム３に送出データ４０が送出されたときは、上りホーム３で使用されている携帯電話機２において送出データ４０が受信され、受信された送出データ４０内の実データ４２、即ち通常情報がメモリ２３に記憶される。使用者が操作部２２を操作して通常情報の報知を指示すると、メモリ２３に記憶されている通常情報が使用者に報知され
る。これによって、上りホーム３にいる使用者は、例えば上り列車の時刻表情報や駅構内の施設案内情報などの通常情報を必要なときに知ることができる。一方、下りホーム５に送出データが送信されたときは、下りホーム５にいる使用者が使用している携帯電話機２において送出データ４０が受信され、受信された送出データ４０の中の通常情報がメモリ２３に記憶される。使用者が操作部２２を操作して通常情報の報知を指示すると、メモリ２３に記憶されている通常情報が使用者に報知される。これによって、下りホーム５にいる使用者は、例えば下り列車の時刻表情報や駅構内の施設案内情報などの通常情報を必要なときに知ることができる。
【００８１】
上記第１実施形態によれば、以下のような効果を得ることができる。
（１）上記実施形態では、上りホーム３に緊急情報を含む送出データ４０が送出されたときは、上りホーム３にいる携帯電話機２の使用者に緊急情報が報知され、下りホーム５に緊急情報を含む送出データ４０が送出されたときは、下りホーム５にいる携帯電話機２の使用者に緊急情報が報知される。したがって、携帯電話機２の使用者は、自分にとって必要な緊急情報だけを認識できるようになる。
【００８２】
（２）上記実施形態では、上り列車が到着または通過するときは、上りホーム３にいる携帯電話機２の使用者に上り列車の到着または通過が報知され、下り列車が到着または通過するときは、下りホーム５にいる携帯電話機２の使用者に下り列車の到着または通過が報知される。したがって、携帯電話機２の使用者は、自分がいるホームに列車が接近するときにその旨を知ることができ、必要に応じてプラットホームの白線の内側に下がるなどの適切な危険回避行動をとることができる。また、携帯電話機２の使用者がいるホームとは別のホームに列車が接近するときは、その旨は携帯電話機２の使用者に報知されないので、携帯電話機２の使用者は、携帯電話機２での作業、例えば通話や入力操作を中断することなくそのまま継続することができる。
【００８３】
（３）上記実施形態では、通常情報を含む送出データ４０が受信されたときは通常情報がメモリ２３に記憶され、使用者が報知動作を行ったときに使用者に報知される。したがって、携帯電話機２の使用者は、必要なときに列車の時刻表情報や駅構内の施設案内情報などの通常情報を知ることができる。
【００８４】
（４）上記実施形態では、緊急情報は、携帯電話機２の使用者が入力操作を行っているときは表示によって使用者に報知され、携帯電話機２で使用者が通話しているときは音声によって報知される。したがって、使用者は、列車の到着または通過を示す運行情報のような緊急情報を、確実に認識できるようになる。
【００８５】
（第２の実施形態）
次に、本発明の第２実施形態を、図５〜図８を参照しながら説明する。なお、第２実施形態は、第１実施形態の構成に類似しているので、同様の部分についてはその詳細な説明を省略する。図５は、第２実施形態の構成を示すブロック図であり、図６は情報出力装置１が作成する送出データ４４の構成を示す模式図である。
【００８６】
第２実施形態では、図５に示すように新たな構成として、上りホームであることを示すホーム判別データを送出する上りホーム用ホーム判別データ送信機１２を上りホーム３に設置し、下りホームであることを示すホーム判別データを送出する下りホーム用ホーム判別データ送信機１３を下りホーム５に設置している。上りホーム用ホーム判別データ送信機１２および下りホーム用ホーム判別データ送信機１３は、ＬＡＮ８に接続される。上りホーム用ホーム判別データ送信機１２および下りホーム用ホーム判別データ送信機１３が、それぞれ上りホーム用ホーム判別データ送信手段および下りホーム用ホーム判別データ送信手段に相当する。
【００８７】
また、管理装置７は、図６に示すように、種別データ４１と、対象ホームデータ４３と、実データ４２とを含む送出データ４４を作成し、上りホーム用送信機４および下りホーム用送信機６のすべてから送出データ４４を送出するようにしている。対象ホームデータ４３は、実データ４２の報知対象がどのプラットホームであるかを示すデータである。そして、携帯電話機２では、受信した送出データ４４内の対象ホームデータ４３と受信したホーム判別データとが一致した場合に、送出データ４４内の実データ４２を携帯電話機２の使用者に報知するようにしている。
【００８８】
図７は、情報出力装置１における送出データ４４の送出時の処理手順を説明するためのフローチャートである。ステップａ１１では、管理装置７の制御部７１は報知情報が入力されたか否かを判断する。中央指令センタ１１から列車の到着または通過を示す運行情報が入力された場合、操作部７２から情報と報知命令とが入力された場合に、報知情報が入力されたと判断される。
【００８９】
ステップａ１２では、制御部７１は報知情報を解析する。即ち、制御部７１は、報知情報が緊急情報であるか通常情報であるかを判断する。例えば、列車の到着または通過を示す運行情報のように予め定められた種類の情報と、報知命令とともに緊急情報として入力された情報が、緊急情報であると判断される。一方、時刻表情報や駅構内の施設案内情報などのように予め定められた種類の情報と報知命令とともに通常情報として入力された情報とが、通常情報であると判断される。
【００９０】
ステップａ１３では、制御部７１は情報の報知対象となるプラットホームがどこかを決定する。これは、どのプラットホームにいる使用者に報知情報を報知するかを決定することである。例えば、報知情報が上り列車の到着または通過を示す運行情報や上り列車の時刻表情報である場合は、対象ホームを上りホームとし、報知情報が下り列車の到着または通過を示す運行情報や下り列車の時刻表情報である場合は、対象ホームを下りホームとする。また、報知情報が、駅構内の施設の案内情報である場合は、対象ホームを上りホームおよび下りホームの両方とする。
【００９１】
ステップａ１４では、制御部７１は送出データ４４を作成する。つまり、図８に示すような種別データ４１と対象ホームデータ４３と実データ４２とを含む送出データ４４を作成する。例えば、報知情報が上り列車の到着または通過を示す運行情報である場合は、種別データ４１を緊急情報であることを示すデータとし、対象ホームデータ４３を上りホームを示すデータとし、実データ４２を運行情報に対応するデータとする。また、報知情報が上り列車の時刻表情報である場合は、種別データ４１を通常情報であることを示すデータとし、対象ホームデータ４３を上りホームを示すデータとし、実データ４２を時刻表情報に対応するデータとする。さらに、報知情報が駅構内の施設の案内情報である場合は、種別データ４１を通常情報であることを示すデータとし、対象ホームデータ４３を上りホームおよび下りホームを示すデータとし、実データ４２を案内情報に対応するデータとする。
【００９２】
ステップａ１５では、制御部７１は送出データ４４を上りホーム用送信機４および下りホーム用送信機６のすべてに出力し、送出データ４４が与えられた送信機４，６は送出データ４４を送出する。
【００９３】
図８は、携帯電話機２における情報の報知動作時の処理手順を説明するためのフローチャートである。ステップｂ１１では、制御部２１は狭域無線回路３３によって情報出力装置１からの送出データ４４およびホーム判別データを受信したか否かを判断する。データを受信した場合は、ステップｂ１２に進み、データを受信していない場合はステップｂ７
に進む。
【００９４】
ステップｂ１２では、制御部２１は受信したホーム判別データを検出してメモリ２３に記憶する。ステップｂ１３では、受信したホーム判別データと受信した送出データ４４内の対象ホームデータ４３とが一致するか否かを判断する。一致する場合は、ステップｂ２に進み、一致しない場合はステップｂ７に進む。なお、ステップｂ２〜ｂ９までの処理手順は、図４のフローチャートと同様であるので、詳細な説明は省略する。
【００９５】
第２実施形態では、報知情報として緊急情報が管理装置７に入力されると、種別データ４１と対象ホームデータ４３と緊急情報に対応する実データ４２とを含む送出データ４４が作成され、作成された送出データ４４は、上りホーム３および下りホーム５に送出される。即ち、上りホーム３にいる利用者に報知すべき緊急情報が入力されたときでも、下りホーム５にいる利用者に報知すべき緊急情報が入力されたときでも、緊急情報を含む送出データ４４は上りホーム３および下りホーム５の双方に送出される。また、上りホーム３には、上りホームを示すホーム判別データが送出され、下りホーム５には、下りホームを示すホーム判別データが送出されている。
【００９６】
例えば、上りホームであることを示す対象ホームデータ４３を含む送出データ４４が送出された場合、上りホーム３で使用されている携帯電話機２では、受信された送出データ４４内の対象ホームデータと受信されたホーム判別データとが一致する。したがって、受信された送出データ４４内の緊急情報は、携帯電話機２の使用者に報知される。一方、下りホーム５で使用されている携帯電話機２では、受信された送出データ４４内の対象ホームデータ４３と受信されたホーム判別データとが一致しない。したがって、受信された送出データ４４内の緊急情報は、携帯電話機２の使用者に報知されない。これによって、携帯電話機２の使用者は、自分にとって必要な緊急情報だけを認識できるようになる。
【００９７】
また、例えば上り列車が駅に到着または駅を通過するときは、列車の運行状況を管理する中央指令センタ１１から、上り列車の到着または通過を示す運行情報が駅に送信される。この運行情報を緊急情報として管理装置７に入力させると、緊急情報であることを示す種別データ４１と、上りホームを示す対象ホームデータ４３と、運行情報に対応する実データ４２とを含む送出データ４４が作成される。作成された送出データ４４は、上りホーム３および下りホーム５に送出される。
【００９８】
したがって、携帯電話機２の使用者が上りホーム３にいる場合は、携帯電話機２では上りホームを示すホーム判別データが受信されているので、送出データ４４に含まれている対象ホームデータ４１とホーム判別データとが一致し、その結果、上り列車の到着または通過を示す運行情報が携帯電話機２の使用者に報知される。これによって、上りホームにいる携帯電話機２の使用者は、上り列車の接近を認識することができ、必要に応じてプラットホームの白線の内側に移動するなどの適切な危険回避行動をとることができる。
【００９９】
一方、携帯電話機２の使用者が下りホーム５にいる場合は、携帯電話機２では下りホームを示すホーム判別データが受信されているので、送出データ４４に含まれている対象ホームデータ４３とホーム判別データとが一致せず、その結果、上り列車の到着または通過を示す運行情報は携帯電話機２の使用者に報知されることはない。即ち、下りホーム５にいる携帯電話機２の使用者に対して不必要な運行情報（危険情報）が報知されることを防止できる。したがって、下りホーム５にいる携帯電話機２の使用者は、携帯電話機２での作業を中断することなくそのまま継続することができる。
【０１００】
また、下り列車が駅に到着または駅を通過するときは、中央指令センタ１１から駅に送信される下り列車の到着または通過を示す運行情報を、緊急情報として管理装置７に入力
させる。これによって、緊急情報であることを示す種別データ４１と下りホームを示す対象ホームデータ４３と運行情報に対応する実データ４２とを含む送出データ４４が、上りホーム３および下りホーム５に送信される。したがって、携帯電話機２の使用者が下りホーム５にいる場合は、下り列車の到着または通過を示す運行情報が携帯電話機２の使用者に報知される。一方、携帯電話機２の使用者が上りホーム３にいる場合は、下り列車の到着または通過を示す運行情報は携帯電話機２の使用者に報知されることはない。
【０１０１】
さらに、報知情報として通常情報が管理装置７に入力されると、通常情報であることを示す種別データ４１と対象ホームデータ４３と通常情報に対応する実データ４２とを含む送出データ４４が作成され、作成された送出データ４４は上りホーム３および下りホーム５に送出される。例えば、通常情報として上り列車の時刻表情報が入力されたときは、通常情報であることを示す種別データ４１と上りホームを示す対象ホームデータ４３と時刻表情報に対応する実データ４２とを含む送出データ４４が上りホーム３および下りホーム５に送出される。通常情報として下り列車の時刻表情報が入力されたときは、通常情報であることを示す種別データ４１と下りホームを示す対象ホームデータ４３と時刻表情報に対応する実データ４２とを含む送出データ４４が上りホーム３および下りホーム５に送出される。通常情報として駅構内の施設の案内情報が入力されたときは、通常情報であることを示す種別データ４１と上りホームおよび下りホームを示す対象ホームデータ４３と案内情報に対応する実データ４２とを含む送出データ４４が上りホーム３および下りホーム５に送出される。
【０１０２】
上りホームを示す対象ホームデータ４３と通常情報とを含む送出データ４４が送出された場合は、上りホーム３で使用されている携帯電話機２では、受信された送出データ４４に含まれている対象ホームデータ４３と受信したホーム判別データとが一致し、かつ受信した送出データ４４の種別データ４１が通常情報であることを示すデータであるので、受信した送出データ４４内の通常情報はメモリ２３に記憶される。これに対し、下りホーム５で使用されている携帯電話機２では、受信された送出データ４４に含まれている対象ホームデータ４３と受信したホーム判別データとが一致しないので、受信した送出データ４４内の通常情報はメモリ２３に記憶されない。
【０１０３】
一方、下りホームを示す対象ホームデータ４３と通常情報とを含む送出データ４４が送出された場合は、下りホーム５で使用されている携帯電話機２では、受信した送出データ４４内の対象ホームデータ４３と受信したホーム判別データとが一致し、かつ受信した送出データ４４内の種別データ４１が通常情報であることを示すデータであるので、受信した送出データ４４内の通常情報がメモリ２３に記憶される。これに対し、上りホーム３で使用されている携帯電話機２では、受信した送出データ４４内の対象ホームデータ４３と受信したホーム判別データとが一致しないので、受信した送出データ４４内の通常情報はメモリ２３に記憶されない。
【０１０４】
したがって、携帯電話機２の使用者は、自分がいるプラットホームに応じて必要とされる通常情報だけを認識できるようになる。即ち、上りホーム３にいる使用者が操作部２２を操作して通常情報の報知を指示すると、上り列車の時刻表情報や駅構内の施設案内情報が報知されるが、下り列車の時刻表情報は報知されない。逆に、下りホーム５にいる使用者が操作部２２を操作して通常情報の報知を指示すると、下り列車の時刻表情報や駅構内の施設案内情報が報知されるが、上り列車の時刻表情報は報知されない。
【０１０５】
したがって、第２実施形態によれば、第１実施形態と同様の効果を得ることができる。
なお、上記各実施形態は以下のように変更してもよい。
・上りホーム用送信機４および下りホーム用送信機６がそれぞれ備える送信アンテナ４ｂ，６ｂとして、指向性を持つ送信アンテナを使用してもよい。また、指向性を持つ送信
アンテナを使用する場合は、図９に示すように、上りホーム用送信機４および下りホーム用送信機６を、上り線路９と下り線路１０との間に設置してもよい。この場合は、上りホーム用送信機４は送信アンテナ４ｂから上りホーム３に向かって電波が送出されるように設置し、下りホーム用送信機６は送信アンテナ６ｂから下りホーム５に向かって電波が送出されるように設置すればよい。なお、上りホーム用ホーム判別データ送信機１２および下りホーム用ホーム判別データ送信機１３の設置場所についても、同様である。
【０１０６】
・図１０に示すように、１つのプラットホーム１４の両側に上り線路９と下り線路１０とが敷設されており、上り線路９側が上りホーム３となり、下り線路１０側が下りホーム５となる場合は、プラットホーム１４の幅方向の中間位置に上りホーム用送信機４および下りホーム用送信機６を設置する。そして、指向性を有する送信アンテナを使用して、上りホーム用送信機４からは送信アンテナ４ｂから上りホーム３に向かって電波が送出されるようにし、下りホーム用送信機６からは送信アンテナ６ｂから下りホーム５に向かって電波が送出されるようにする。なお、上りホーム用ホーム判別データ送信機１２および下りホーム用ホーム判別データ送信機１３の設置場所についても、同様である。
【０１０７】
・携帯型電子機器は、携帯電話機２に限らず、電子手帳などと称される通話機能を有していない電子機器であってもよい。
【図面の簡単な説明】
【０１０８】
【図１】本発明の第１実施形態である情報報知システムを構成する情報出力装置１および携帯電話機２の構成を示すブロック図。
【図２】情報出力装置１が送出する送出データ４０の構成を示す模式図。
【図３】情報出力装置１における送出データ４０の送出時の処理手順を説明するためのフローチャート。
【図４】携帯電話機２における情報の報知動作時の処理手順を説明するためのフローチャート。
【図５】第２実施形態の構成を示すブロック図。
【図６】情報出力装置１が送出する送出データ４４の構成を示す模式図。
【図７】情報出力装置１における送出データ４４の送出時の処理手順を説明するためのフローチャート。
【図８】携帯電話機２における情報の報知動作時の処理手順を説明するためのフローチャート。
【図９】上りホーム用送信機４および下りホーム用送信機６の設置場所の変更例を示す模式図。
【図１０】上りホーム用送信機４および下りホーム用送信機６の設置場所の変更例を示す模式図。
【符号の説明】
【０１０９】
１…情報出力装置、２…携帯電話機、３…上りホーム、４…上りホーム用送信機、５…下りホーム、６…下りホーム用送信機、７…管理装置、１２…上りホーム用ホーム判別データ送信機、１３…下りホーム用ホーム判別データ送信機、１４…プラットホーム、２１…制御部、２２…操作部、２３…メモリ、２４…表示部、２７…エンコーダ／デコーダ回路、３０…アンプ、３１…スピーカ、３２…アンテナ、３３…狭域無線回路、４０…送出データ、４１…種別データ、４２…実データ、４３…対象ホームデータ、４４…送出データ、７１…制御部、７２…操作部、７３…メモリ。
【図１】
2006240452.tif 000003
【図２】
2006240452.tif 000004
【図３】
2006240452.tif 000005
【図４】
2006240452.tif 000006
【図５】
2006240452.tif 000007
【図６】
2006240452.tif 000008
【図７】
2006240452.tif 000009
【図８】
2006240452.tif 000010
【図９】
2006240452.tif 000011
【図１０】
2006240452.tif 000012